(57)【特許請求の範囲】
【請求項１】
能動素子アレイ基板と、前記能動素子アレイ基板に対向する対向基板と、前記能動素子アレイ基板と前記対向基板との間に配置された液晶層を備えており、
前記能動素子アレイ基板には、複数の走査線と、複数のデータ線と、複数の能動素子と、複数の画素電極が形成されており、
前記対向基板には、共通電極層が形成されており、
前記複数の走査線は第１の方向に互いに平行に配列されており、前記複数のデータ線は第２の方向に互いに平行に配列されており、前記複数のデータ線と前記複数の走査線は複数の画素領域を画定しており、
前記複数の能動素子のそれぞれは、対応する画素領域内に配設されているとともに、対応する走査線によって駆動され、
前記複数の画素電極のそれぞれは、対応する画素領域内に配設されているとともに、対応するデータ線を介して送られる信号を受け取るために対応する能動素子と電気的に接続されており、
前記複数の画素電極のそれぞれには、複数の第１の主スリットと複数の第１の微細スリットが形成されており、
前記複数の第１の主スリットの少なくとも一つは、前記データ線に近い方の端部を含む部分に、前記データ線に対して略垂直に伸びる屈曲部を有し、
前記複数の第１の微細スリットの一部は、前記第１の主スリットに沿って配列されており、
前記複数の第１の微細スリットの他の一部は、前記画素電極の端部に沿って配列されていることを特徴とするマルチドメイン垂直配向型液晶表示パネル。
【請求項２】
前記共通電極層には、複数の第２の主スリットが形成されており、
前記複数の第２の主スリットの少なくとも一つは、前記走査線に近い方の端部を含む部分に、前記データ線に対して略垂直に伸びる屈曲部を有することを特徴とする請求項１に記載のマルチドメイン垂直配向型液晶表示パネル。
【請求項３】
前記共通電極層には、複数の第２の微細スリットがさらに形成されていることを特徴とする請求項２に記載のマルチドメイン垂直配向型液晶表示パネル。
【請求項４】
前記複数の第２の微細スリットの一部は、前記第２の主スリットに沿って配列されており、
前記複数の第２の微細スリットの他の一部は、前記画素電極の端部に対応する領域に沿って配列されていることを特徴とする請求項３に記載のマルチドメイン垂直配向型液晶表示パネル。
【請求項５】
前記第１の主スリットは、閉じたスリットであることを特徴とする請求項１から４のいずれかに記載のマルチドメイン垂直配向型液晶表示パネル。
【請求項６】
能動素子アレイ基板と、前記能動素子アレイ基板に対向する対向基板と、前記能動素子アレイ基板と前記対向基板との間に配置された液晶層を備えており、
前記能動素子アレイ基板には、複数の走査線と、複数のデータ線と、複数の能動素子と、複数の画素電極が形成されており、
前記対向基板には、共通電極層が形成されており、
前記複数の走査線は第１の方向に互いに平行に配列されており、前記複数のデータ線は第２の方向に互いに平行に配列されており、前記複数のデータ線と前記複数の走査線は複数の画素領域を画定しており、
前記複数の能動素子のそれぞれは、対応する画素領域内に配設されているとともに、対応する走査線によって駆動され、
前記複数の画素電極のそれぞれは、対応する画素領域内に配設されているとともに、対応するデータ線を介して送られる信号を受け取るために対応する能動素子と電気的に接続されており、
前記共通電極層には、複数の第２の主スリットと複数の第２の微細スリットが形成されており
前記複数の第２の主スリットの少なくとも一つは、前記走査線に近い方の端部を含む部分に、前記データ線に対して略垂直に伸びる屈曲部を有し、
前記複数の第２の微細スリットの一部は、前記第２の主スリットに沿って配列されており、
前記複数の第２の微細スリットの他の一部は、前記画素電極の端部に対向する領域に沿って配列されていることを特徴とするマルチドメイン垂直配向型液晶表示パネル。
【請求項７】
前記複数の画素電極のそれぞれには、複数の第１の主スリットが形成されていることを特徴とする請求項６に記載のマルチドメイン垂直配向型液晶表示パネル。
【請求項８】
前記複数の画素電極のそれぞれには、複数の第１の微細スリットがさらに形成されていることを特徴とする請求項７に記載のマルチドメイン垂直配向型液晶表示パネル。
【請求項９】
前記第１の主スリットは、閉じたスリットであることを特徴とする請求項７又は８に記載のマルチドメイン垂直配向型液晶表示パネル。
【請求項１０】
能動素子アレイ基板と、前記能動素子アレイ基板に対向する対向基板と、前記能動素子アレイ基板と前記対向基板との間に配置された液晶層を備えており、
前記能動素子アレイ基板には、複数の走査線と、複数のデータ線と、複数の能動素子と、複数の画素電極が形成されており、
前記対向基板には、共通電極層が形成されており、
前記複数の走査線は第１の方向に互いに平行に配列されており、前記複数のデータ線は第２の方向に互いに平行に配列されており、前記複数のデータ線と前記複数の走査線は複数の画素領域を画定しており、
前記複数の能動素子のそれぞれは、対応する画素領域内に配設されているとともに、対応する走査線によって駆動され、
前記複数の画素電極のそれぞれは、対応する画素領域内に配設されているとともに、対応するデータ線を介して送られる信号を受け取るために対応する能動素子と電気的に接続されており、
前記共通電極層には、複数の第２の主スリットと複数の第２の微細スリットが形成されており、
前記複数の第２の微細スリットの一部は、前記第２の主スリットに沿って配列されており、
前記複数の第２の微細スリットの他の一部は、前記画素電極の端部に対向する領域に沿って配列されていることを特徴とするマルチドメイン垂直配向型液晶表示パネル。
【請求項１１】
前記複数の画素電極のそれぞれには、複数の第１の主スリットが形成されていることを特徴とする請求項１０に記載のマルチドメイン垂直配向型液晶表示パネル。
【請求項１２】
前記複数の画素電極のそれぞれには、複数の第１の微細スリットがさらに形成されていることを特徴とする請求項１１に記載のマルチドメイン垂直配向型液晶表示パネル。
【請求項１３】
前記第１の主スリットは、閉じたスリットであることを特徴とする請求項１１又は１２に記載のマルチドメイン垂直配向型液晶表示パネル。
【発明の詳細な説明】
【技術分野】
【０００１】
本発明は、液晶表示パネルに関する。特に、マルチドメイン垂直配向型（ＭＶＡ）液晶表示パネルに関する。
【背景技術】
【０００２】
半導体装置及び表示装置の大幅な進歩によって、社会ではマルチメディア化が急速に発展している。薄膜トランジスタ液晶表示装置（ＴＦＴ−ＬＣＤ）は、高い画質、高い空間利用率、低い電力消費量、放射線の生じない動作という利点を有するため、徐々に表示装置の市場を占めてきている。
【０００３】
現在、市場の液晶表示装置の特徴には、高コントラスト率、階調反転がないこと、低カラーシフト、高輝度、広色域、高彩度、高速応答時間、広視野角が含まれる。広視野角を提供する技術には、現在のところ、広視野角フィルムを用いたツイステッドネマティック（ＴＮ）液晶、インプレインスイッチング（ＩＰＳ）液晶表示装置、フリンジフィールドスイッチング液晶表示装置、マルチドメイン垂直配向型薄膜トランジスタ液晶表示装置がある。ここでは、従来のマルチドメイン垂直配向型液晶表示装置を例に用いる。
【０００４】
図１Ａは、従来のマルチドメイン垂直配向型液晶表示（ＭＶＡ−ＬＣＤ）パネルの一画素の画素電極の上面図である。図１Ｂは、従来のＭＶＡ−ＬＣＤパネルの一画素の共通電極の上面図である。図１Ｃは、図１Ａの画素電極と図１Ｂの共通電極を互いに積層した後のＭＶＡ−ＬＣＤパネルの上面図である。図１Ｂには、この画素の走査線、データ線、能動素子も図示されており、これらの構成要素と共通電極層の相対位置が示されている。なお、液晶表示パネルの両側には、上部偏光膜および下部偏光膜（図示せず）が配置されており、上部偏光膜および下部偏光膜の透過軸はそれぞれＸ方向およびＹ方向に伸びている。
【０００５】
図１Ａ、図１Ｂに示すように、従来のマルチドメイン垂直配向型液晶表示パネルでは、画素電極１１０は複数の主スリット１１２と複数の微細スリット１１４とを有し、共通電極層１２０は複数の主スリット１２２と複数の微細スリット１２４とを有している。主スリット１１２、１２２及び微細スリット１１４、１２４の近辺の電界方向と、画素の他の部分の電界方向は互いに異なることから、液晶分子の傾斜方向のばらつきは大きくなる。このため、液晶パネルの視野範囲を広げるという目的を達成することができる。
【０００６】
図２は、図１Ａ〜１Ｃの領域Ｒ１２の液晶分子に作用する力を示す。図１Ａに示すように、領域Ｒ１０および領域Ｒ１２における画素電極１１０の端部は、主スリット１１２および微細スリット１１４の伸展方向とは異なる方向に、直線状に伸びている。図１Ａおよび図２に示すように、領域Ｒ１２における画素電極１１０の端部によって液晶分子１３０に加わる力はＦ１２であり、画素電極１１０の微細スリット１１４によって液晶分子１３０に加わる力はＦ１４である。つまり、液晶分子１３０には異なる方向の力が作用するため、液晶分子１３０は適切な方向（Ｆ１４の方向）に傾斜することができなくなる。即ち、領域Ｒ１２の液晶分子１３０の配向方向は制御することが困難であり、黒筋が発生しやすくなる。この問題を解決するため、図１Ｂに示すように、共通電極１２０には、画素電極１１０の端部と平行な副スリット１２６が、領域Ｒ１０および領域Ｒ１２に設けられている。図１Ｂおよび図２に示すように、副スリット１２６が液晶分子１３０に加える力はＦ１６である。ここで、力Ｆ１６はＸ軸正方向の力であり、力Ｆ１２はＸ軸負方向力であることから、結果として液晶分子１３０に作用する力は力Ｆ１４の方向に近いものとなる。このため、Ｒ１０領域およびＲ１２領域に黒筋が発生する可能性は大幅に低下する。
【発明の開示】
【発明が解決しようとする課題】
【０００７】
液晶表示パネルを製造する工程では、画素電極１１０と共通電極層１２０が、二枚の基板に別々に形成される。その後、画素電極１１０と共通電極層１２０が図１Ｃに示すように正しく対向するように二枚の基板の位置合わせを行い、二枚の基板を組み立てる。液晶表示パネルの組み立て時の位置合わせが正確でなければ、画素電極１１０と共通電極層１２０の相対位置に誤差が生じる。この場合、副スリット１２６は、領域Ｒ１０および領域Ｒ１２の液晶分子に期待された影響を与えることができなくなり、黒筋が再び発生する可能性が生じる。結果的に、マルチドメイン垂直配向型液晶表示パネルの画質（透過率、応答時間等）が大幅に低下してしまう。
【０００８】
本発明は、上部基板と下部基板との不正確な位置合わせから生じる画質低下の問題を解決するのに適したマルチドメイン垂直配向型液晶表示パネルに関する。
【課題を解決するための手段】
【０００９】
本発明は、能動素子アレイ基板と、対向基板と、液晶層を有するマルチドメイン垂直配向型液晶表示パネルに具現化される。能動素子アレイ基板には、複数の走査線と、複数のデータ線と、複数の能動素子と、複数の画素電極が形成されている。対向基板には、能動素子アレイ基板に対向する共通電極層が形成されている。液晶層は、能動素子アレイ基板と対向基板の間に配置されている。
複数の走査線は第１の方向に互いに平行に配列されており、複数のデータ線は第２の方向に互いに平行に配列されており、複数のデータ線および複数の走査線によって複数の画素領域が画定されている。それぞれの能動素子は、対応する画素領域内に配設されているとともに、対応する走査線によって駆動される。それぞれの画素電極は、対応する画素領域内に配設されているとともに、対応するデータ線を介して送られる信号を受け取るために対応する能動素子と電気的に接続されている。それぞれの画素電極には、複数の第１の主スリットと複数の第１の微細スリットが形成されている。そして、少なくとも一つの第１の主スリットは、データ線に近い方の端部を含む部分に、前記データ線に対して略垂直に伸びる屈曲部を有している。また、複数の第１の微細スリットの一部は第１の主スリットに沿って配列されており、複数の第１の微細スリットの他の一部は画素電極の端部に沿って配列されている。
【００１０】
上記したマルチドメイン垂直配向型液晶表示パネルでは、共通電極層に複数の第２の主スリットが形成されていることが好ましい。この場合、少なくとも一つの第２の主スリットは、走査線に近い方の端部を含む部分に、データ線に対して略垂直に伸びる屈曲部を有することが好ましい。
【００１１】
上記したマルチドメイン垂直配向型液晶表示パネルでは、共通電極層に複数の第２の主スリットおよび複数の第２の微細スリットが形成されていることが好ましい。この場合、第２の微細スリットの一部は第２の主スリットに沿って配列されており、第２の微細スリットの他の一部は画素電極の端部に対応する領域に沿って配列されていることが好ましい。
【００１２】
本発明はまた、能動素子アレイ基板と、対向基板と、液晶層を備える別のマルチドメイン垂直配向型液晶表示パネルにも具現化される。能動素子アレイ基板には、複数の走査線と、複数のデータ線と、複数の能動素子と、複数の画素電極が形成されている。対向基板には、能動素子アレイ基板に対向する共通電極層が形成されている。液晶層は、能動素子アレイ基板と対向基板の間に配置されている。
複数の走査線は第１の方向に互いに平行に配列されており、複数のデータ線は第２の方向に互いに平行に配列されており、複数のデータ線および複数の走査線によって複数の画素領域が画定されている。それぞれの能動素子は、対応する画素領域内に配設されているとともに、対応する走査線によって駆動される。それぞれの画素電極は、対応する画素領域内に配設されているとともに、対応するデータ線を介して送られる信号を受け取るために対応する能動素子と電気的に接続されている。共通電極層には、複数の第２の主スリットと複数の第２の微細スリットが形成されている。そして、少なくとも一つの第２の主スリットは、走査線に近い方の端部を含む部分に、前記データ線に対して略垂直に伸びる屈曲部を有している。
【００１３】
このマルチドメイン垂直配向型液晶表示パネルの実施形態において、共通電極層はさらに複数の第２の微細スリットを有している。第２の微細スリットの一部は第２の主スリットに沿って配列されており、その他の第２の微細スリットは画素電極の端部に対応する領域に沿って配列されている。
【００１４】
本発明はまた、能動素子アレイ基板と、対向基板と、液晶層を備えるさらに別のマルチドメイン垂直配向型液晶表示パネルに具現化される。能動素子アレイ基板には、複数の走査線と、複数のデータ線と、複数の能動素子と、複数の画素電極が形成されている。対向基板には、能動素子アレイ基板に対向する共通電極層が形成されている。液晶層は、能動素子アレイ基板と対向基板の間に配置されている。
複数の走査線は第１の方向に互いに平行に配列されており、複数のデータ線は第２の方向に互いに平行に配列されており、複数のデータ線および複数の走査線によって複数の画素領域が画定されている。それぞれの能動素子は、対応する画素領域内に配設されているとともに、対応する走査線によって駆動される。それぞれの画素電極は、対応する画素領域内に配設されているとともに、対応するデータ線を介して送られる信号を受け取るために対応する能動素子と電気的に接続されている。共通電極層には、複数の第２の主スリットおよび複数の第２の微細スリットが形成されている。第２の微細スリットの一部は、第２の主スリットに沿って配列されている。第２の微細スリットの他の一部は、画素電極の端部に対応する領域に沿って配列されている。
【００１５】
以上のように、本発明に係るマルチドメイン垂直配向型液晶表示パネルでは、黒筋の問題を解決するために、画素電極の第１の主スリットのデータ線に近い部分に屈曲部を形成するか、共通電極層の第２の主スリットの走査線に近い部分に屈曲部を形成している。あるいは、共通電極層の画素電極の端部に対応する領域に沿って微細スリットを配列することにより、黒筋をデータ線の一方側に制限する。上記の構成を有することにより、位置合わせに誤差が生じても、黒筋の問題を最小限に抑える効果がある。
【発明を実施するための最良の形態】
【００１６】
上記した発明の要旨および下記する発明の詳細な説明は様々な例示を含み、特許請求の範囲に記載した本発明を明確に説明することを意図している。
【００１７】
添付の図面は、本発明をさらに理解するために用意されたものであり、本明細書とともに発明の実施形態を例示しており、本発明の原理の説明に有用なものである。
【００１８】
本発明の好適な実施形態について、図面を参照しながら詳細に説明する。図面および説明において、同一の要素あるいは類似の要素については、可能な限り、同一の参照番号を付与する。
【００１９】
本発明は、液晶分子の不正確な配向による黒筋の問題を解決するために、画素電極および共通電極層に主スリットおよび微細スリットの特別な設計レイアウトを施したマルチドメイン垂直配向型液晶表示パネルを提供する。したがって、本発明に係るマルチドメイン垂直配向型液晶表示パネルの種々の実施形態では、画素電極及び共通電極層の主スリット及び微細スリットの種々なレイアウトを種々に組み合わせることができる一方で、この構造の他の部分は共通化することができる。以下では、まず、本発明の実施例であるマルチドメイン垂直配向型液晶表示パネルの基本構造を示す。次に、画素電極および共通電極層の種々なレイアウトを説明する。最後に、画素電極と共通電極層との組み合わせを複数記載する。以下の説明では、類似の構成要素には同一の参照番号を用いる。
【００２０】
図３は、本発明の実施例であるマルチドメイン垂直配向型液晶表示パネルの部分断面図である。図４は、本発明の一実施形態によるマルチドメイン垂直配向型液晶表示パネルの一画素領域の上面図である。図３、図４に示すように、本実施形態のマルチドメイン垂直配向型液晶表示パネル３００は、能動素子アレイ基板３１０と、対向基板３２０と、液晶層３３０を備えている。能動素子アレイ基板３１０は、複数の走査線３１２と、複数のデータ線３１４と、複数の能動素子３１６と、複数の画素電極４１０とを有しており、図４にはそれぞれを一つずつのみ示してある。走査線３１２は、Ｘ方向に互いに平行に配列されており、データ線３１４はＹ方向に互いに平行に配列されている。図４に示すように、走査線３１２とデータ線３１４は、複数の画素領域を画定している。各画素領域には、能動素子３１６と画素電極４２０が配設されている。能動素子３１６は、対応する走査線３１２を介して駆動される。画素電極４２０は、能動素子３１６を介して対応するデータ線３１４に電気的に接続されており、対応するデータ線３１４を通じて送られる信号を受け取るようになっている。
能動素子３１６は薄膜トランジスタ（ＴＦＴ）でもよく、他の適当な能動素子でもよい。また、共通電極３１８を能動素子アレイ基板３１０に配置して、画素領域に所望の画素ストレージキャパシタを形成してもよい。対向基板３２０は、能動素子アレイ基板３１０に対向する共通電極層５４０を有している。この対向基板３２０はカラーフィルタ基板であってもよく、あるいはカラーフィルタ膜（図示せず）を能動素子アレイ基板３１０に配設してもよい。液晶層３３０は、能動素子アレイ基板３１０と対向基板３２０との間に配置される。
【００２１】
図５Ａは、図４の画素電極の上面図である。図５Ａには、走査線３１２、データ線３１４、能動素子３１６を併せて示されており、これらの構成要素と画素電極４２０との相対位置が明示されている。図５Ａに示すように、画素電極４２０は、複数の第１の主スリット４２２を有している。さらに、第１の主スリット４２２は、データ線３１４に近い部分で屈曲している。本実施形態では、第１の主スリット４２２の屈曲部（屈曲位置から見てデータ線３１４に近い部分）が略Ｘ方向に沿って伸びており、第１の主スリット４２２の他の部分は、ほぼＳ方向（例えば図５Ａの上部領域の第１の主スリット４２２）又はＷ方向（例えば図５Ａの下部領域の第１の主スリット４２２）に延びている。第１の主スリット４２２は、実施例形のように閉じたスリットでもよい。ここでいう閉じたスリットとは、その両端が画素電極４２０の端部に接続しておらず、スリットの周縁が閉じた形状を描くことをいう。
【００２２】
第１の主スリット４２２のデータ線３１４に近い部分を屈曲させていることから、領域Ｒ３０および領域Ｒ４０において画素電極４２０の直線状の端部が非常に短く抑えられている。このため、領域Ｒ３０および領域Ｒ４０における液晶分子の不適切な配向による黒筋の問題が解決される。さらに、第１の主スリット４２２のデータ線３１４に近い部分がデータ線３１４に略垂直であることから、後に共通電極層（図示せず）に対して画素電極４２０を位置合わせする際に誤差が生じても、領域Ｒ３０および領域Ｒ４０における黒筋の問題が解決する。
【００２３】
画素電極４２０は、複数の第１の微細スリット４２４が形成されていてもよく、第１の微細スリット４２４の少なくとも一部が第１の主スリット４２２に接続されていてもよい。これらの第１の微細スリット４２４は、本実施形態では、ほぼＷ方向（図５Ａの上部領域の第１の微細スリット４２４）又はＳ方向（図５Ａの下部領域の第１の微細スリット４２４）に延びている。
【００２４】
図６は、図４の共通電極層の上面図である。図６には、走査線３１２、データ線３１４、能動素子３１６も示されており、これらの構成要素と共通電極層５４０との相対位置が明示されている。画素電極４２０の第１の主スリット４２２のデータ線３１４に近い部分に屈曲部を形成したことにより、図５Ａ、図６に示す領域Ｒ２０と領域Ｒ３０の間の領域の液晶分子については、加えられる制御力が弱まってしまう。そこで、領域Ｒ２０と領域Ｒ３０の間の領域の液晶分子に加えられる制御力を改善するために、画素電極４２０では、複数の第１の微細スリット４２４が、領域Ｒ２０と領域Ｒ３０の間の領域に位置するように形成されている。また、共通電極層５４０でも、複数の第２の微細スリット５４４が、領域Ｒ２０と領域Ｒ３０の間の領域に位置するように形成されている。例えば、図５Ａに示す画素電極４２０では、画素電極４２０の端部から領域Ｒ２０と領域Ｒ３０の間の領域に伸びる複数の第１の微細スリット４２４が形成されている。また、図６に示す共通電極層５４０では、一部の第２の微細スリット５４４が、領域Ｒ２０と領域Ｒ３０の間の領域に達するように長く形成されている。これにより、画質が改善されている。
【００２５】
図４に示すように、本実施形態は、図５Ａの画素電極４２０に図６の共通電極層５４０を組み合わせたものである。このため、両方の利点が発揮され、領域Ｒ２０、領域Ｒ３０、領域Ｒ４０の黒筋の問題が解決する。以下、図５Ｂを用いて、図４の領域Ｒ４０の液晶分子に加わる力を説明する。図４および図５Ｂに示すように、領域Ｒ４０の画素電極４２０の端部によって液晶分子２３０に加えられる力はＦ２２であり、画素電極４２０の第１の微細スリット４２４によって液晶分子２３０に加えられる力はＦ２４である。共通電極層５４０の第２の微細スリット５４４によって液晶分子２３０に加えられる力はＦ２６である。力Ｆ２４および力Ｆ２６は正のＷ方向に向かい、力Ｆ２２は負のＸ方向に向かっている。このため、結果的に、液晶分子２３０に作用する力はＷ方向に近いものとなり、液晶分子２３０は他の領域の液晶分子と同じような配向となることから、領域Ｒ１０および領域Ｒ１２における黒筋の発生の可能性が低下する。
【００２６】
図７は、本発明の別の実施形態によるマルチドメイン垂直配向型液晶表示パネルの一画素領域の上面図である。図８は、図７の画素電極の上面図である。図９は、図７の共通電極層の上面図である。図９には、走査線３１２、データ線３１４、能動素子３１６についても示されており、これらの構成要素と共通電極層５１０との相対位置が明示されている。実際には、共通電極層５１０は対向基板（図示せず）に形成されており、走査線３１２、データ線３１４、能動素子３１６は能動素子アレイ基板（図示せず）に形成されている。
図７、図８に示すように、本実施形態の画素電極４１０と図５Ａの画素電極４２０は非常に似たものである。一方、図７、図９に示すように、共通電極層５１０は、複数の第２の主スリット５１２を有しており、第２の主スリット５１２は、走査線３１２に近い部分で屈曲している。本実施形態では、第２の主スリット５１２の屈曲部（屈曲位置から見て走査線３１２に近い部分）は略Ｘ方向に伸びており、第２の主スリット５１２の他の部分は略Ｓ方向（図９の上部領域の第２の主スリット５１２）又はＷ方向（図９の下部領域の第２の主スリット５１２）に伸びている。第２の主スリット５１２の走査線３１２に近い部分が屈曲された構成となっているため、従来の副スリットを設けることなく、領域Ｒ２０の液晶分子の不適切な配向による黒筋の問題が解決される。
【００２７】
また、共通電極層５１０には、さらに複数の第２の微細スリット５１４が形成されており、第２の微細スリット５１４の少なくとも一部は第２の主スリット５１２に接続されている。本実施形態では、第２の微細スリット５１４は、Ｗ方向（図９の上部領域の第２の微細スリット５１４）又はＳ方向（図９の下部領域の第２の微細スリット５１４）に伸びている。従来技術に比して、多くの第２の微細スリット５１４が領域Ｒ２０に配設されていることから、その後の画素電極（図示せず）に対する共通電極層５１０の位置合わせの工程で誤差が生じても、領域Ｒ２０の黒筋の問題が解決される。図７に示すように、本実施形態は、図８の画素電極４１０に図９の共通電極層５１０を組み合わせたものである。このため、二つの利点を発揮することができ、領域Ｒ２０、領域Ｒ３０、領域Ｒ４０における黒筋の問題を解決できる。
【００２８】
図１０は、本発明のさらに別の実施形態によるマルチドメイン垂直配向型液晶表示パネルの一画素領域の上面図である。図１１は、図１０の共通電極層の上面図である。図１１には、走査線３１２、データ線３１４、能動素子３１６についても示されている。図１１に示すように、共通電極層５２０は、第２の主スリット５２２と第２の微細スリット５２４を有している。図１１の共通電極層５２０では、図９の共通電極層５１０と異なり、図１１の上部領域の第２の主スリット５２２の略全体がＳ方向に伸びており、図１１の下部領域の第２の主スリット５２２の略全体がＷ方向に伸びている。また、図１１の共通電極層５２０では、一部の第２の微細スリット５２４が第２の主スリット５２２に沿って配列されており、その他の第２の微細スリット５２４が画素電極（例えば、図１０の画素電極１１０）の端部に対応する領域Ｒ２０、Ｒ３０、Ｒ４０に平行に配置されている。このため、黒筋の発生は走査線３１２およびデータ線３１４の一方側に制限され、液晶分子が第２の微細スリット５２４によって正しく矯正されることで残りの部分に黒筋が発生することはない。したがって、画質を向上させるという目的が同じように達成される。さらに、第２の微細スリット５２４の一部が領域Ｒ２０、領域Ｒ３０、領域Ｒ４０にあるため、画素電極（図示せず）に対する共通電極層５２０の位置合わせにおいて誤差が生じても、領域Ｒ２０、領域Ｒ３０、領域Ｒ４０における黒筋の発生を画素領域の端部に制限する機能がさらに発揮される。図１０に示すように、本実施形態は、図１Ａの従来の画素電極１１０に、図１１の共通電極層５２０を組み合わせたものである。
【００２９】
図１２は、本発明のさらに別の実施形態によるマルチドメイン垂直配向型液晶表示パネルの一画素領域の共通電極層の上面図である。図１２には、走査線３１２、データ線３１４、能動素子３１６についても示されている。図１２に示すように、共通電極層５３０には、複数の第２の主スリット５３２と複数の第２の微細スリット５３４が形成されている。図１２の共通電極層５３０は、図９の共通電極層５１０の領域Ｒ２０の特徴と、図１１の共通電極層５２０の領域Ｒ４０の特徴とを組み合わせたものである。このため、図１２の共通電極層５３０の領域Ｒ２０において、液晶分子の不適切な配向による黒筋の問題が解決し、黒筋は領域Ｒ４０におけるデータ線３１２の一方側のみに制限される。したがって、画質を改善するという目的が達成され、位置合わせの工程において誤差が生じても画質の低下が抑制される。
【００３０】
図６、図９、図１１、図１２に示すように、本発明のマルチドメイン垂直配向型液晶表示装置の共通電極層には、改善された三つの設計のうち、つまり、図９の領域Ｒ２０、図１１の領域Ｒ３０および領域Ｒ４０、図６の領域Ｒ２０のうちのいずれを用いてもよい。さらに、ここには図示していないが、これらの設計を適宜組み合わせて使用することも可能である。
【００３１】
図４、図７、図１０は、本発明に係るマルチドメイン垂直配向型液晶表示パネルの一画素領域の画素電極と共通電極層との多数の組み合わせについて、そのうちの三種類を説明したものであることに留意されたい。即ち、図５Ａ、図６、図８、図９、図１１、図１２に示した特徴を様々に組み合わせた他の多くの実施形態が考えられるが、それらについての例示は省略する。さらに、図１０の実施形態のように、上記の特徴を有する本発明のマルチドメイン垂直配向型液晶表示パネルの画素電極は、従来の共通電極層と組み合わせることができる。同様に、上記の特徴を有する本発明のマルチドメイン垂直配向型液晶表示パネルの共通電極層は、従来の画素電極と組み合わせることができる。
【００３２】
以上のように、本発明のマルチドメイン垂直配向型液晶表示パネルでは、画素電極の主スリットのデータ線に近い部分に屈曲部を設けることにより、画素電極の直線状の端部を短くし、液晶分子の不適切な配向による黒筋の問題を解決している。あるいは、従来の副スリットを設ける代わりに、共通電極層の主スリットの走査線に近い部分に屈曲部を形成することによって、黒筋の問題を解決している。あるいは、第２の微細スリットを、共通電極層のうちの画素電極の端部に対応する領域に沿って配列することにより、黒筋を走査線の一方側に制限している。上記の設計はそれぞれ、マルチドメイン垂直配向型液晶表示パネルの画質を改善するだけでなく、画素電極と共通電極層とを位置合わせする工程において誤差が生じた場合でも同一の効果を発揮することができる。
【００３３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時の請求項に記載の組み合わせに限定されるものではない。本明細書または図面に例示した技術は、複数の目的を同時に達成するものであり、そのうちの一つの目的を達成すること自体で技術的有用性を持つものである。
【図面の簡単な説明】
【００３４】
【図１Ａ】従来のマルチドメイン垂直配向型液晶表示（ＭＶＡ−ＬＣＤ）パネルの一画素の画素電極の上面図である。
【図１Ｂ】従来のＭＶＡ−ＬＣＤパネルの一画素の共通電極の上面図である。
【図１Ｃ】図１Ａの画素電極と図１Ｂの共通電極とを共に積層した後のＭＶＡ−ＬＣＤパネルの上面図である。
【図２】領域Ｒ１２の液晶分子に作用する力を示す図である。
【図３】本発明によるマルチドメイン垂直配向型液晶表示パネルの部分断面図である。
【図４】本発明の実施形態によるマルチドメイン垂直配向型液晶表示パネルの一画素領域の上面図である。
【図５Ａ】図４の画素電極の上面図である。
【図５Ｂ】図４の領域Ｒ４０の液晶分子に加わる力を示す図である。
【図６】図４の共通電極層の上面図である。
【図７】本発明の別の実施形態によるマルチドメイン垂直配向型液晶表示パネルの一画素領域の上面図である。
【図８】図７の画素電極の上面図である。
【図９】図７の共通電極層の上面図である。
【図１０】本発明のさらに別の実施形態によるマルチドメイン垂直配向型液晶表示パネルの一画素領域の上面図である。
【図１１】図１０の共通電極層の上面図である。
【図１２】本発明のさらに別の実施形態によるマルチドメイン垂直配向型液晶表示パネルの一画素領域の共通電極層の上面図である。
【図１Ａ】
0005149521.tif 000002
【図１Ｂ】
0005149521.tif 000003
【図１Ｃ】
0005149521.tif 000004
【図２】
0005149521.tif 000005
【図３】
0005149521.tif 000006
【図４】
0005149521.tif 000007
【図５Ａ】
0005149521.tif 000008
【図５Ｂ】
0005149521.tif 000009
【図６】
0005149521.tif 000010
【図７】
0005149521.tif 000011
【図８】
0005149521.tif 000012
【図９】
0005149521.tif 000013
【図１０】
0005149521.tif 000014
【図１１】
0005149521.tif 000015
【図１２】
0005149521.tif 000016